(57)【要約】【課題】緊急情報に対応する緊急画像を迅速に表示できる表示装置を提供する。【解決手段】表示装置は、緊急情報についての接続要求を電子機器から受信する接続要求受信部と、前記接続要求受信部による前記接続要求の受信に応じて、前記電子機器を認証することなく前記電子機器と通信接続を確立する接続確立部と、前記電子機器と前記通信接続が確立している状況で前記電子機器から前記緊急情報を受信する情報受信部と、表示部と、前記緊急情報に応じた画像を表示面に表示する表示動作を、前記表示部に実行させる表示制御部と、を含む。【選択図】図３
2020057128.tif 000002
【特許請求の範囲】
【請求項１】
緊急情報についての接続要求を電子機器から受信する接続要求受信部と、
前記接続要求受信部による前記接続要求の受信に応じて、前記電子機器を認証することなく前記電子機器と通信接続を確立する接続確立部と、
前記電子機器と前記通信接続が確立している状況で前記電子機器から前記緊急情報を受信する情報受信部と、
表示部と、
前記緊急情報に応じた画像を表示面に表示する表示動作を、前記表示部に実行させる表示制御部と、
を含むことを特徴とする表示装置。
【請求項２】
前記表示制御部は、前記緊急情報のフォーマットが、所定のフォーマットである場合、前記表示動作を前記表示部に実行させる、
ことを特徴とする請求項１に記載の表示装置。
【請求項３】
前記表示制御部は、前記緊急情報に応じた画像を前記緊急情報に応じていない画像よりも優先して前記表示面に表示する動作を、前記表示部に実行させる、
ことを特徴とする請求項１または２に記載の表示装置。
【請求項４】
前記情報受信部が、前記緊急情報の受信後に前記緊急情報の更新情報を受信する場合、前記表示制御部は、前記緊急情報に応じた画像に代えて前記緊急情報の更新情報に応じた画像を前記表示面に表示する動作を、前記表示部に実行させる、
ことを特徴とする請求項１から３のいずれか１項に記載の表示装置。
【請求項５】
緊急情報についての接続要求を電子機器から受信する接続要求受信部と、
前記緊急情報を保持する外部機器から、前記接続要求受信部による前記接続要求の受信に応じて前記緊急情報を取得する取得部と、
表示部と、
前記取得部が取得する前記緊急情報に応じた画像を表示面に表示する動作を、前記表示部に実行させる表示制御部と、
を含むことを特徴とする表示装置。
【請求項６】
前記接続要求は、全国瞬時警報システムから送信される所定情報の前記電子機器による受信に応じて、前記電子機器から送信される、
ことを特徴とする請求項１から５のいずれか１項に記載の表示装置。
【請求項７】
前記接続確立部は、前記接続要求受信部が前記緊急情報についての接続要求以外の接続要求を受信した場合、前記電子機器の認証を行う、
ことを特徴とする請求項１から５のいずれか１項に記載の表示装置。
【請求項８】
緊急情報についての接続要求を電子機器から受信し、
前記接続要求の受信に応じて、前記電子機器を認証することなく前記電子機器と通信接続を確立し、
前記電子機器と前記通信接続が確立している状況で前記電子機器から前記緊急情報を受信し、
前記緊急情報に応じた画像を表示面に表示する、
ことを特徴とする表示装置の制御方法。
【請求項９】
前記緊急情報のフォーマットが、所定のフォーマットである場合、前記表示動作を実行する、
ことを特徴とする請求項８に記載の表示装置の制御方法。
【請求項１０】
前記緊急情報に応じた画像を前記緊急情報に応じていない画像よりも優先して前記表示面に表示する動作を実行する、
ことを特徴とする請求項８または９に記載の表示装置の制御方法。
【請求項１１】
前記緊急情報の受信後に前記緊急情報の更新情報を受信する場合、前記緊急情報に応じた画像に代えて前記緊急情報の更新情報に応じた画像を前記表示面に表示する動作を実行する、
ことを特徴とする請求項８から１０のいずれか１項に記載の表示装置の制御方法。
【請求項１２】
前記接続要求は、全国瞬時警報システムから送信される所定情報の前記電子機器による受信に応じて、前記電子機器から送信される、
ことを特徴とする請求項８から１１のいずれか１項に記載の表示装置の制御方法。
【請求項１３】
緊急情報についての接続要求を電子機器から受信し、
前記緊急情報を保持する外部機器から、前記接続要求の受信に応じて前記緊急情報を取得し、
前記緊急情報に応じた画像を表示面に表示する、
ことを特徴とする表示装置の制御方法。
【発明の詳細な説明】
【技術分野】
【０００１】
本発明は、表示装置および表示装置の制御方法に関する。
【背景技術】
【０００２】
特許文献１には、地震を検出する加速度センサーを含むプロジェクターが記載されている。また、地震等の災害の発生を事前に通知する緊急情報通報システムとして、緊急情報をスマートフォン等の電子機器に送信する全国瞬時警報システム等が知られている。
【先行技術文献】
【特許文献】
【０００３】
【特許文献１】特開２００６−２８４６２６号公報
【発明の概要】
【発明が解決しようとする課題】
【０００４】
特許文献１に記載のプロジェクターは、緊急情報通報システムからの緊急情報を直接受信する構成要素を有していない。特許文献１に記載のプロジェクターのように緊急情報通報システムから緊急情報を直接受信できない表示装置でも緊急情報を得られることが好ましい。
【課題を解決するための手段】
【０００５】
本発明に係る表示装置の一態様は、緊急情報についての接続要求を電子機器から受信する接続要求受信部と、前記接続要求受信部による前記接続要求の受信に応じて、前記電子機器を認証することなく前記電子機器と通信接続を確立する接続確立部と、前記電子機器と前記通信接続が確立している状況で前記電子機器から前記緊急情報を受信する情報受信部と、表示部と、前記緊急情報に応じた画像を表示面に表示する表示動作を、前記表示部に実行させる表示制御部と、を含む。
【０００６】
本発明に係る他の表示装置の一態様は、緊急情報についての接続要求を電子機器から受信する接続要求受信部と、前記緊急情報を保持する外部機器から、前記接続要求受信部による前記接続要求の受信に応じて前記緊急情報を取得する取得部と、表示部と、前記取得部が取得する前記緊急情報に応じた画像を表示面に表示する動作を、前記表示部に実行させる表示制御部と、を含む。
【０００７】
本発明に係る表示装置の制御方法の一態様は、緊急情報についての接続要求を電子機器から受信し、前記接続要求の受信に応じて、前記電子機器を認証することなく前記電子機器と通信接続を確立し、前記電子機器と前記通信接続が確立している状況で前記電子機器から前記緊急情報を受信し、前記緊急情報に応じた画像を表示面に表示する。
【０００８】
本発明に係る他の表示装置の制御方法の一態様は、緊急情報についての接続要求を電子機器から受信し、前記緊急情報を保持する外部機器から、前記接続要求の受信に応じて前記緊急情報を取得し、前記緊急情報に応じた画像を表示面に表示する。
【図面の簡単な説明】
【０００９】
【図１】プロジェクター１００を含む表示システム１の一例を示す図である。
【図２】電子機器３００の構成の一例を示す図である。
【図３】第１実施形態に係るプロジェクター１００の構成の一例を示す図である。
【図４】プロジェクター１００の動作を説明するためのフローチャートである。
【図５】第１実施形態の第１変形例の動作を説明するためのフローチャートである。
【図６】第２実施形態に係るプロジェクター１００の一例を示す図である。
【図７】図６のプロジェクター１００の動作を説明するためのフローチャートである。
【図８】第２実施形態の第１変形例の動作を説明するためのフローチャートである。
【発明を実施するための形態】
【００１０】
＜Ａ：第１実施形態＞
＜Ａ１：表示システム１の概要＞
図１は、第１実施形態に係るプロジェクター１００を含む表示システム１の一例を示す図である。表示システム１は、プロジェクター１００と、緊急情報通報システム２００と、電子機器３００と、画像供給装置４００と、を含む。なお、１台の電子機器３００ではなく、複数台の電子機器３００が存在してもよい。
【００１１】
緊急情報通報システム２００は、典型的には全国瞬時警報システムである。なお、緊急情報通報システム２００は、全国瞬時警報システムに限らず適宜変更可能である。緊急情報通報システム２００は、緊急情報を送信する。緊急情報は、緊急性を有する種々の情報、例えば、大津波警報、津波警報、緊急火山情報、緊急地震速報、弾道ミサイル情報、航空攻撃情報、震度速報、および気象警報を包含する。緊急情報通報システム２００は、緊急情報を送信する態様の１つとして、緊急情報を示す電子メールを送信する態様を有する。以下、緊急情報を示す電子メールを「緊急メール」と称する。緊急メールは、所定情報の一例である。緊急情報通報システム２００は、緊急情報を保持するサーバー２００ａを含む。サーバー２００ａは、例えば、緊急メールを送信する。
【００１２】
電子機器３００は、電子メールの送受信機能を有する。電子機器３００は、例えば、携帯電話、スマートフォンまたはＰＣ（Personal Computer）である。電子機器３００は、緊急情報通報システム２００から緊急情報、具体的には緊急メールを受信する。また、電子機器３００は、プロジェクター１００と通信する。
【００１３】
画像供給装置４００は、画像を示す画像情報をプロジェクター１００に供給する。画像供給装置４００は、例えば、ＰＣ、ＤＶＤ（Digital Versatile Disc）プレイヤーまたはテレビチューナー装置である。ＤＶＤは登録商標である。
【００１４】
プロジェクター１００は、表示装置の一例である。プロジェクター１００は、画像供給装置４００から画像情報を受け取る。プロジェクター１００は、ＵＳＢ（Universal Serial Bus）メモリー等の記録媒体から画像情報を読み取ってもよい。ＵＳＢは登録商標である。プロジェクター１００は、画像情報が示す画像を投射面５００に投射して表示する。
【００１５】
プロジェクター１００は、緊急情報通報システム２００から緊急情報を直接受信する構成要素を有していない。よって、プロジェクター１００は、緊急情報通報システム２００から緊急情報を直接受信できない。一方、プロジェクター１００は、電子機器３００と通信する。
【００１６】
＜Ａ２：電子機器３００の構成＞
図２は、電子機器３００の構成の一例を示す図である。電子機器３００は、第１通信部３０１と、第２通信部３０２と、電子機器側記憶部３０３と、電子機器側制御部３０４と、表示部３０５と、を含む。
【００１７】
第１通信部３０１は、不図示の無線基地局等を介して電子メール等を送受信する。例えば、第１通信部３０１は、緊急メールを受信する。
【００１８】
第２通信部３０２は、近距離無線通信を実行する。近距離無線通信とは、数センチメートルから数十センチメートルの近距離での無線通信である。近距離無線通信は、例えば、ＮＦＣ（Near Field communication）として知られている無線通信の国際規格に準拠する。近距離無線通信の具体例としては、ＢｌｕｅｔｏｏｔｈまたはＷｉＦｉ（Wireless Fidelity）が挙げられる。ＢｌｕｅｔｏｏｔｈおよびＷｉＦｉは、それぞれ登録商標である。第２通信部３０２は、例えば、プロジェクター１００と近距離無線通信を実行する。
【００１９】
電子機器側記憶部３０３は、コンピューターが読み取り可能な記録媒体である。電子機器側記憶部３０３は、電子機器３００の動作を規定するプログラムと、種々の情報とを記憶する。
【００２０】
電子機器側制御部３０４は、ＣＰＵ（Central Processing Unit）等のコンピューターである。電子機器側制御部３０４は、１または複数の処理装置で構成されてもよい。電子機器側制御部３０４は、電子機器側記憶部３０３が記憶するプログラムを読み取り実行することによって、電子機器３００を制御する。
【００２１】
例えば、電子機器側制御部３０４は、第１通信部３０１が緊急メールを受信すると、緊急情報についての接続要求をプロジェクター１００に送信する動作を第２通信部３０２に実行させる。以下、緊急情報についての接続要求を「緊急接続要求」と称する。
【００２２】
また、電子機器側制御部３０４は、緊急接続要求に応じてプロジェクター１００と近距離無線通信で接続済みである状況で、第２通信部３０２がプロジェクター１００から情報要求を受信すると、緊急情報をプロジェクター１００に送信する動作を第２通信部３０２に実行させる。
【００２３】
表示部３０５は、種々の画像を表示する。表示部３０５は、電子機器側制御部３０４による制御の下で、例えば緊急情報に応じた画像を表示する。
【００２４】
＜Ａ３：プロジェクター１００の構成＞
図３は、プロジェクター１００の構成の一例を示す図である。
プロジェクター１００は、操作受取部１１０と、画像情報受取部１２０と、画像処理部１３０と、ライトバルブ駆動部１４０と、投射部１５０と、光源駆動部１６０と、プロジェクター側通信部１７０と、プロジェクター側記憶部１８０と、プロジェクター側制御部１９０とを含む。
【００２５】
投射部１５０は、光源１５１と、Ｒ用液晶ライトバルブ１５２ａと、Ｇ用液晶ライトバルブ１５２ｂと、Ｂ用液晶ライトバルブ１５２ｃと、投射光学系１５３と、を含む。ここで、「Ｒ」は赤色を意味する。「Ｇ」は緑色を意味する。「Ｂ」は青色を意味する。Ｒ用液晶ライトバルブ１５２ａと、Ｇ用液晶ライトバルブ１５２ｂと、Ｂ用液晶ライトバルブ１５２ｃとを相互に区別する必要がない場合、Ｒ用液晶ライトバルブ１５２ａと、Ｇ用液晶ライトバルブ１５２ｂと、Ｂ用液晶ライトバルブ１５２ｃの各々を単に「液晶ライトバルブ１５２」と称する。液晶ライトバルブ１５２は、液晶パネルによって構成される。液晶ライトバルブ１５２は、光を変調する光変調装置として機能する。
【００２６】
操作受取部１１０は、例えば、各種の操作ボタン、操作キーまたはタッチパネルである。操作受取部１１０は、利用者の入力操作を受け取る。操作受取部１１０は、入力操作に基づく情報を無線または有線で送信するリモートコントローラーでもよい。この場合、プロジェクター１００は、リモートコントローラーから情報を受信する受信部を含む。リモートコントローラーは、入力操作を受け取る各種の操作ボタン、操作キーまたはタッチパネルを備える。また、操作受取部１１０は、スマートフォン等の情報端末装置上で動作するアプリケーションに対する操作入力を情報端末装置から無線で受け付ける無線受信部でもよい。
【００２７】
画像情報受取部１２０は、画像供給装置４００から有線または無線で画像情報を受け取る。
【００２８】
画像処理部１３０は、ＣＰＵ等のコンピューターである。画像処理部１３０は、１または複数の処理装置で構成されてもよい。画像処理部１３０は、画像情報に画像処理を施すことによって画像信号を生成する。画像処理部１３０が実行する画像処理は、例えば、解像度変換処理またはフレームレート変換処理を包含する。解像度変換処理では、画像処理部１３０は、画像情報の解像度を、プロジェクター側制御部１９０により指定される解像度、例えば液晶ライトバルブ１５２の解像度に変換する。フレームレート変換処理では、画像処理部１３０は、画像情報のフレームレートを、プロジェクター側制御部１９０が指定するフレームレートに変換する。画像処理部１３０は、解像度変換処理とフレームレート変換処理との両方を実行してもよいし、他の画像処理、例えば、いわゆるガンマ補正処理を実行してもよい。
【００２９】
ライトバルブ駆動部１４０は、画像処理部１３０が生成する画像信号に基づいて、液晶ライトバルブ１５２、具体的にはＲ用液晶ライトバルブ１５２ａ、Ｇ用液晶ライトバルブ１５２ｂおよびＢ用液晶ライトバルブ１５２ｃを駆動する。
【００３０】
投射部１５０は、画像情報に基づく投射画像を投射面５００に投射する。投射部１５０は、表示部の一例である。投射面５００は、表示面の一例である。投射面５００、例えばスクリーンである。投射面５００は、スクリーンに限らず適宜変更可能である。例えば、投射面５００は、壁またはホワイトボードでもよい。
【００３１】
光源１５１は、例えば、ＬＥＤ（Light Emitting Diode）である。光源１５１は、ＬＥＤに限らず適宜変更可能である。例えば、光源１５１は、キセノンランプ、超高圧水銀ランプまたはレーザー光源でもよい。
【００３２】
光源１５１から射出される光における輝度分布のばらつきは、不図示のインテグレーター光学系によって低減される。光源１５１から射出される光は、その後、不図示の色分離光学系によって光の３原色であるＲ、ＧおよびＢの色光成分に分離される。Ｒの色光成分はＲ用液晶ライトバルブ１５２ａに入射する。Ｇの色光成分はＧ用液晶ライトバルブ１５２ｂに入射する。Ｂの色光成分はＢ用液晶ライトバルブ１５２ｃに入射する。
【００３３】
液晶ライトバルブ１５２は、例えば、一対の透明基板間に液晶が存在する液晶パネルによって構成される。液晶ライトバルブ１５２は、マトリクス状に配列されている複数の画素１５２ｐからなる矩形の画素領域１５２ｄを有する。液晶ライトバルブ１５２では、液晶に対して画素１５２ｐごとに駆動電圧が印加される。
【００３４】
ライトバルブ駆動部１４０が、画像処理部１３０から入力される画像信号に基づく駆動電圧を各画素１５２ｐに印加すると、各画素１５２ｐの光透過率は、画像信号に基づく光透過率に設定される。このため、光源１５１から射出される光は、画素領域１５２ｄを透過することで変調され、画像信号に基づく画像が色光ごとに形成される。不図示の色合成光学系は、各液晶ライトバルブ１５２が生成する画像を画素１５２ｐごとに合成することによってカラー画像を生成する。
【００３５】
投射光学系１５３は、色合成光学系が生成するカラー画像を拡大して投射画像を生成し、当該投射画像を投射面５００に投射して表示する。
【００３６】
光源駆動部１６０は、光源１５１を駆動する。例えば、光源駆動部１６０は、操作受取部１１０が電源オンの操作入力を受け取ると、光源１５１を発光させる。
【００３７】
プロジェクター側通信部１７０は、近距離無線通信を実行する。例えば、プロジェクター側通信部１７０は、電子機器３００と近距離無線通信を実行する。
【００３８】
プロジェクター側記憶部１８０は、コンピューターが読み取り可能な記録媒体である。プロジェクター側記憶部１８０は、プロジェクター１００の動作を規定するプログラムと、種々の情報とを記憶する。
【００３９】
プロジェクター側制御部１９０は、ＣＰＵ等のコンピューターである。プロジェクター側制御部１９０は、１または複数の処理装置で構成されてもよい。プロジェクター側制御部１９０は、プロジェクター側記憶部１８０が記憶するプログラムを読み取り実行することによって、接続要求受信部１９１と、接続確立部１９２と、情報受信部１９３と、表示制御部１９４と、を実現する。
【００４０】
接続要求受信部１９１は、プロジェクター側通信部１７０を介して近距離無線通信における接続要求を受信する。接続要求受信部１９１は、例えば緊急接続要求を受信する。
【００４１】
接続確立部１９２は、接続要求の送信元と近距離無線通信において通信接続を確立する。接続確立部１９２は、例えば、接続要求受信部１９１が電子機器３００から緊急接続要求を受信すると、電子機器３００を認証することなく、電子機器３００と近距離無線通信における通信接続を確立する。
【００４２】
情報受信部１９３は、プロジェクター１００と通信接続が確立している機器から種々の情報を受信する。例えば、情報受信部１９３は、近距離無線通信における通信接続が確立している電子機器３００から緊急情報を受信する。
【００４３】
表示制御部１９４は、画像処理部１３０、ライトバルブ駆動部１４０および光源駆動部１６０を用いて投射部１５０を制御する。表示制御部１９４は、例えば、情報受信部１９３が受信する緊急情報に応じた画像を投射面５００に投射して表示する表示動作を、投射部１５０に実行させる。以下、緊急情報に応じた画像を「緊急画像」と称する。
【００４４】
＜Ａ４：動作の説明＞
次に、プロジェクター１００の動作をメインに表示システム１の動作を説明する。図４は、プロジェクター１００の動作を説明するためのフローチャートである。
【００４５】
緊急情報通報システム２００が、緊急メールを電子機器３００に送信すると、電子機器３００の第１通信部３０１が緊急メールを受信する。第１通信部３０１が緊急メールを受信すると、電子機器側制御部３０４は、緊急情報に応じた画像を表示部３０５に表示させ、かつ、第２通信部３０２に緊急接続要求を送信させる。緊急情報に応じた画像は、緊急情報が示す内容、例えば地震が発生する可能性を示す画像である。
また、電子機器側制御部３０４は、第１通信部３０１による緊急メールの受信とは異なるイベントに応じて、第２通信部３０２に接続要求を送信させる。緊急メールの受信とは異なるイベントの一例としては、電子機器３００の利用者による不図示の操作部に対する接続操作が挙げられる。
【００４６】
緊急接続要求には、緊急接続要求を識別するための緊急識別情報が記載されている。一方、第２通信部３０２が送信する接続要求のうち、緊急接続要求とは異なる接続要求には、緊急識別情報が記載されていない。
【００４７】
図４のステップＳ１０１において接続要求受信部１９１がプロジェクター側通信部１７０を介して接続要求を受信すると、ステップＳ１０２において接続確立部１９２は、当該接続要求が緊急接続要求であるか否かを判断する。以下、ステップＳ１０１で受信される接続要求を「受信接続要求」と称する。
【００４８】
ステップＳ１０２では、接続確立部１９２は、受信接続要求に緊急識別情報が記載されている場合には受信接続要求が緊急接続要求であると判断し、受信接続要求に緊急識別情報が記載されていない場合には受信接続要求が緊急接続要求ではないと判断する。
【００４９】
ステップＳ１０２において受信接続要求が緊急接続要求でない場合、ステップＳ１０３において接続確立部１９２は、受信接続要求の送信元を認証するための認証処理を実行する。ステップＳ１０３で実行される認証処理としては、例えば公知の認証処理が用いられる。公知の認証処理の一例としては、受信接続要求の送信元の認証情報を用いる認証処理が挙げられる。
【００５０】
続いて、ステップＳ１０４において緊急接続要求の送信元の認証が成功である場合、ステップＳ１０５において接続確立部１９２は、受信接続要求の送信元である電子機器３００と近距離無線通信における通信接続を確立する。
【００５１】
一方、ステップＳ１０２において受信接続要求が緊急接続要求である場合、接続確立部１９２は、ステップＳ１０３およびステップＳ１０４を実行することなく、ステップＳ１０５を実行する。すなわち、接続確立部１９２は、接続要求受信部１９１による電子機器３００からの緊急接続要求の受信に応じて、電子機器３００を認証することなく、電子機器３００と通信接続を確立する。
【００５２】
電子機器３００とプロジェクター１００との通信接続が確立すると、電子機器側制御部３０４は、情報をプロジェクター１００に送信する動作を、第２通信部３０２に実行させる。
具体的には、電子機器３００とプロジェクター１００との通信接続が確立すると、接続確立部１９２が、電子機器３００に情報要求を送信する動作をプロジェクター側通信部１７０に実行させる。電子機器側制御部３０４は、第２通信部３０２がプロジェクター１００から情報要求を受信すると、電子機器３００が送信すべき情報をプロジェクター１００に送信する動作を、第２通信部３０２に実行させる。以下、電子機器３００が送信すべき情報を「通知情報」と称する。
ここで、緊急接続要求に応じた通信接続が確立済みの状況では、通知情報として、緊急メールに示されている緊急情報が用いられる。
【００５３】
続いて、ステップＳ１０６において情報受信部１９３は、プロジェクター側通信部１７０を介して、通知情報を受信する。
【００５４】
続いて、ステップＳ１０７において表示制御部１９４は、通知情報に応じた画像を投射面５００に投射する動作を、投射部１５０に実行させる。
例えば、通知情報が緊急情報である場合、ステップＳ１０７において表示制御部１９４は、まず、緊急情報に応じた緊急画像を示す緊急画像情報を生成する。緊急画像の一例は、緊急情報の内容を文字で示す画像、または、緊急情報の内容を文字と絵で示す画像である。続いて、表示制御部１９４は、緊急画像情報を画像処理部１３０に出力することによって、緊急画像を投射面５００に投射する動作を投射部１５０に実行させる。
【００５５】
このように本実施形態に係るプロジェクター１００およびプロジェクター１００の制御方法によれば、緊急情報通報システム２００から緊急情報を直接受信できないプロジェクター１００であっても、当該緊急情報に応じた緊急画像を投射面５００に投射できる。
【００５６】
接続確立部１９２は、接続要求受信部１９１による緊急接続要求の受信に応じて、電子機器３００を認証することなく電子機器３００と通信接続を確立する。そして、表示制御部１９４は、情報受信部１９３が受信する緊急情報に応じた緊急画像を投射面５００に投射する。
このため、電子機器３００の認証の後に緊急情報に応じた緊急画像を投射面５００に投射する構成に比べて、緊急接続要求を受信してから緊急画像を投射するまでの時間を短くできる。よって、緊急性の高い緊急情報に応じた緊急画像を利用者に対して迅速に伝えることが可能になる。
【００５７】
緊急接続要求は、全国瞬時警報システムから送信される緊急メールの電子機器３００による受信に応じて電子機器３００から送信される。よって、緊急接続要求の信頼度が高く、プロジェクター１００は信頼性の高い緊急情報を利用者に提供できる。
【００５８】
なお、ステップＳ１０７において表示制御部１９４は、緊急情報に応じた緊急画像を、画像供給装置４００からの画像情報に応じた画像よりも優先して投射面５００に投射する動作を投射部１５０に実行させる。
例えば、表示制御部１９４は、画像供給装置４００からの画像情報を画像処理部１３０に出力している状況で緊急画像情報を生成すると、画像供給装置４００からの画像情報を画像処理部１３０に出力することを停止して、緊急画像情報を画像処理部１３０に出力する。または、表示制御部１９４は、画像供給装置４００からの画像情報に応じた画像の上に緊急画像が重畳される重畳画像を示す重畳画像情報を生成し、重畳画像情報を画像処理部１３０に出力してもよい。
緊急画像が、画像供給装置４００からの画像情報に応じた画像よりも優先して投射されるので、緊急画像が認識されやすくなる。
【００５９】
なお、ステップＳ１０１において接続要求受信部１９１が接続要求を受信していない場合、および、ステップＳ１０４において認証が失敗である場合、処理が終了する。
【００６０】
＜Ａ５：第１実施形態における変形例＞
第１実施形態において、例えば以下に例示する構成が採用されてもよい。
【００６１】
＜Ａ５−１．第１実施形態における第１変形例＞
全国瞬時警報システムから送信される緊急情報は、予め定められている所定のフォーマットで構成されている。このため、プロジェクター１００が受信する緊急情報のフォーマットが所定のフォーマットでない場合、緊急情報の信憑性が低いと考えられる。そこで、情報受信部１９３の受信する緊急情報のフォーマットが所定のフォーマットでない場合には緊急画像が投射されず、所定のフォーマットである場合には緊急画像が投射されてもよい。
【００６２】
図５は、第１実施形態における第１変形例の動作を説明するためのフローチャートである。図５において、図４に示す処理と同一処理には同一符号を付してある。以下、図４に示す処理と異なる点を中心に説明する。
【００６３】
ステップＳ１０２において受信接続要求が緊急接続要求である場合、ステップＳ２０１およびＳ２０２が実行される。ステップＳ２０１はステップＳ１０５と同様の処理であり、ステップＳ２０２はステップＳ１０６と同様の処理である。
【００６４】
続いて、ステップＳ２０３において表示制御部１９４は、情報受信部１９３の受信する緊急情報のフォーマットが所定のフォーマットでない場合には緊急画像を投射部１５０に投射させず、所定のフォーマットである場合にはステップＳ１０７を実行する。
【００６５】
第１実施形態における第１変形例によれば、第１実施形態が奏する効果に加えて、信憑性の高い緊急画像のみを利用者に視認させることが可能になる。
【００６６】
＜Ｂ：第２実施形態＞
＜Ｂ１：第２実施形態の概要＞
電子機器３００は、緊急メールの受信に伴い、緊急接続要求の送信と緊急情報に応じた画像の表示とを実行する。このため、電子機器３００は、緊急接続要求の送信後に、緊急情報に応じた画像を視認する利用者によって移動されて、プロジェクター１００と通信接続できないおそれがある。
そこで、第２実施形態に係るプロジェクター１００は、電子機器３００と通信接続できない場合、緊急情報を保持する外部機器から緊急情報を取得する。本実施形態では、緊急情報を保持する外部機器の一例としては、緊急情報通報システム２００のサーバー２００ａが用いられる。なお、緊急情報を保持する外部機器は、サーバー２００ａに限らず適宜変更可能である。
【００６７】
＜Ｂ２：プロジェクター１００の構成＞
図６は、第２実施形態に係るプロジェクター１００の一例を示す図である。図６において、図３に示す構成と同一構成には同一符号を付してある。以下、図３に示す構成と異なる点を中心に説明する。
【００６８】
図６に示すプロジェクター１００は、図３に示す構成に加えて、情報通信部１７５を有する。情報通信部１７５は、図１に示すサーバー２００ａと通信する。
【００６９】
図６に示すプロジェクター側制御部１９０は、プロジェクター側記憶部１８０が記憶するプログラムを読み取り実行することによって、接続要求受信部１９１と接続確立部１９２と情報受信部１９３と表示制御部１９４とに加えて、取得部１９５を実現する。
【００７０】
取得部１９５は、接続要求受信部１９１による緊急接続要求の受信に応じて実行される通信接続が確立しない場合、情報通信部１７５を介してサーバー２００ａから緊急情報を取得する。
【００７１】
＜Ｂ３：動作の説明＞
図７は、図６に示すプロジェクター１００の動作を説明するためのフローチャートである。図７において、図５に示す処理と同一処理には同一符号を付してある。以下、図５に示す処理と異なる点を中心に説明する。
【００７２】
ステップＳ１０２において受信接続要求が緊急接続要求である場合、ステップＳ３０１において接続確立部１９２は、電子機器３００と通信接続を確立する処理を実行する。続いて、ステップＳ３０２において通信接続の確立が成功すると、ステップＳ２０２が実行される。
【００７３】
一方、ステップＳ３０２において通信接続の確立が失敗すると、ステップＳ３０３において取得部１９５は、情報通信部１７５を介して緊急情報通報システム２００のサーバー２００ａから緊急情報を取得する。その後、ステップＳ１０７が実行される。
【００７４】
本実施形態によれば、プロジェクター１００は、電子機器３００と通信接続できなくても緊急情報を取得可能になる。
【００７５】
＜Ｂ４：第２実施形態における変形例＞
第２実施形態において、例えば以下に例示する構成が採用されてもよい。
【００７６】
＜Ｂ４−１．第２実施形態における第１変形例＞
取得部１９５は、ステップＳ１０２において受信接続要求が緊急接続要求である場合、緊急情報通報システム２００のサーバー２００ａから緊急情報を取得してもよい。
【００７７】
図８は、第２実施形態における第１変形例の動作を説明するためのフローチャートである。図８において、図７に示す処理と同一処理には同一符号を付してある。以下、図７に示す処理と異なる点を中心に説明する。
【００７８】
取得部１９５は、ステップＳ１０２において受信接続要求が緊急接続要求である場合、ステップＳ３０３を実行する。この場合、ステップＳ３０１とステップＳ３０２とステップＳ２０２とステップＳ２０３とを省略でき、処理の簡略化を図れる。
【００７９】
＜Ｃ：第１実施形態および第２実施形態に適用可能な変形例＞
＜Ｃ１：変形例１＞
緊急情報は、随時更新される可能性がある。このため、第１実施形態、第１実施形態の第１変形例および第２実施形態において、プロジェクター１００は、緊急情報の受信後に緊急情報の更新情報を受信する更新情報受信状態では、緊急情報に応じた緊急画像に代えて緊急情報の更情情報に応じた緊急画像を投射面５００に投射してもよい。
例えば、表示制御部１９４は、更新情報受信状態では、緊急情報に応じた緊急画像に代えて緊急情報の更情情報に応じた緊急画像を投射面５００に投射する動作を、投射部１５０に実行させる。この場合、最新の緊急画像を利用者に視認させることが可能になる。
なお、緊急情報の送信元と緊急情報の更新情報の送信元とは、同じでもよいし、異なってもよい。
また、表示制御部１９４は、緊急情報と緊急情報の更新情報とをプロジェクター側記憶部１８０に記憶し、プロジェクター側記憶部１８０が記憶する緊急情報と緊急情報の更新情報のうち、操作受取部１１０に対する利用者の操作によって指定される情報を画像処理部１３０に出力してもよい。この場合、過去の緊急情報と緊急情報の更新情報とを閲覧可能になる。
【００８０】
＜Ｃ２：変形例２＞
第１実施形態、第１実施形態の第１変形例、第２実施形態、第２実施形態の第１変形例、および変形例１において、複数の電子機器３００が存在する状況において、複数の電子機器３００から互いに異なる緊急情報を情報受信部１９３が受信する場合、表示制御部１９４は、投射部１５０に投射させる緊急画像を、緊急情報が受信されるごとに、直近の緊急情報に応じた緊急画像に更新してもよい。この場合、最近の緊急画像を利用者に視認させることが可能になる。また、複数の電子機器３００から共通の緊急情報を情報受信部１９３が順次受信する場合、表示制御部１９４は、最初に受信される緊急情報に応じた緊急画像の投射を継続してもよい。
【００８１】
＜Ｃ３：変形例３＞
第１実施形態、第１実施形態の第１変形例、第２実施形態、第２実施形態の第１変形例、変形例１および変形例２において、接続確立部１９２は、緊急情報の信憑性を高めるために、複数の電子機器３００のうち予め定められた１以上の電子機器３００のみと通信接続を確立してもよい。
例えば、プロジェクター側記憶部１８０に、信頼性の高い１以上の電子機器３００の識別子が記憶され、接続確立部１９２は、緊急接続要求を送信済みの電子機器３００のうち、プロジェクター側記憶部１８０に記憶されている識別子によって識別される電子機器３００のみと通信接続を確立する。
【００８２】
＜Ｃ４：変形例４＞
第１実施形態、第１実施形態の第１変形例、第２実施形態、第２実施形態の第１変形例、および変形例１から変形例３において、表示装置は、プロジェクター１００に限らず適宜変更可能である。例えば、表示装置として、液晶表示装置またはＥＬ表示装置が用いられてもよい。
【００８３】
＜Ｃ５：変形例５＞
プロジェクター側制御部１９０がプログラムを実行することによって実現される機能の全部または一部、および画像処理部１３０は、例えばＦＰＧＡ（field programmable gate array）またはＡＳＩＣ（Application Specific IC）等の電子回路によりハードウェアで実現されてもよい。また、プロジェクター側制御部１９０が画像処理部１３０の機能を含んでもよい。
【００８４】
＜Ｃ６：変形例６＞
光変調装置の一例として液晶ライトバルブ１５２が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１５１が発した光を変調可能な構成は、光変調装置として採用できる。
【符号の説明】
【００８５】
１００…プロジェクター、１１０…操作受取部、１２０…画像情報受取部、１３０…画像処理部、１４０…ライトバルブ駆動部、１５０…投射部、１５１…光源、１５２…液晶ライトバルブ、１５３…投射光学系、１６０…光源駆動部、１７０…プロジェクター側通信部、１８０…プロジェクター側記憶部、１９０…プロジェクター側制御部、１９１…接続要求受信部、１９２…接続確立部、１９３…情報受信部、１９４…表示制御部。
【図１】
2020057128.tif 000003
【図２】
2020057128.tif 000004
【図３】
2020057128.tif 000005
【図４】
2020057128.tif 000006
【図５】
2020057128.tif 000007
【図６】
2020057128.tif 000008
【図７】
2020057128.tif 000009
【図８】
2020057128.tif 000010